(57)【要約】      （修正有）【課題】高さの制限を受けず、実用的で美しいスツールの構造を提供する。【解決手段】脚部１は地面に立つスツールの脚及び、各脚を接続する架材を含み、架材は荷重面を構成する。荷重面の上に収納容器２を設置し、収納容器はボックス２１及び蓋２２を含む。該ボックスは底面を設け、該底面の縁から上向きにサイド壁を延伸する。該蓋はシートとなる鋼材の頂面を設け、頂面の縁から下向きにサイド面を形成する。該サイド面とサイド壁が套設し、頂面はサイド壁が支える。また、本スツールの脚は地面の上に立ち、全体の重さを支える。該脚部の荷重面に収納容器を設置し、該収納容器の頂面をスツールのシートとして利用し、人が座る面とする。脚部を長くしてスツールの高さを高くできるとともに、荷重問題を解決しただけでなく、実用的で外観が美しい。また、必要に応じて異なる色や形の収納容器と脚部で組み合わせることができる。【選択図】図１
0003168682.tif 000002
【実用新案登録請求の範囲】
【請求項１】
脚部、脚、架材、荷重面、収納容器を含むスツールの構造であって、
該脚部は地面に立つスツールの脚及び、各脚を接続する架材を含み、該架材は荷重面を構成し、
該荷重面の上に収納容器を設置し、該収納容器はボックス及び蓋を含み、
該ボックスは底面を設け、該底面の縁から上向きに垂直に鋼材のサイド壁２１２を延伸し、
該蓋はシートとなる鋼材の頂面を設け、頂面の縁から下向きにサイド面を形成し、
該サイド面とサイド壁が套設し、頂面はサイド壁が支えることを特徴とするスツールの構造。
【請求項２】
脚部、脚、架材、荷重面、収納容器を含むスツールの構造であって、
該脚部は地面に立つスツールの脚及び、各脚を接続する架材を含み、該架材は荷重面を構成し、
該荷重面の上に収納容器を設置し、該収納容器はボックス及び蓋を含み、
該ボックスは底面を設け、該底面の縁から上向きにサイド壁を延伸する。該蓋はシートとなる鋼材の頂面を設け、頂面の縁から下向き垂直に鋼材のサイド面を形成し、
該サイド面とサイド壁が套設し、頂面はサイド面が支えることを特徴とするスツールの構造。
【請求項３】
前記脚の数を偶数とし、且つ軸線に沿って対称的に設置し、
前記架材は対称する二本の脚を接続し、該架材が軸線で交わるとき、架材と脚の接続箇所は脚の上端と下端の間に位置することを特徴とする請求項１或いは請求項２記載のスツールの構造。
【請求項４】
前記脚を４本とし、中軸を設けて、二本の架材の接続箇所を軸として角度を変えて折り畳む或いは展開することを特徴とする請求項３記載のスツールの構造。
【請求項５】
前記脚を地面と垂直なストレートの棒の形とすることを特徴とする請求項３記載のスツールの構造。
【請求項６】
前記収納容器を円柱形或いは長方体とすることを特徴とする請求項１或いは請求項２記載のスツールの構造。
【請求項７】
前記収納容器の底面にネジ或いはボルトを使って、脚部に固定することを特徴とする請求項１或いは請求項２記載のスツールの構造。
【請求項８】
脚部、脚、架材、収納容器を含み、
該脚部は地面に立つスツールの脚及び、各脚を接続する架材を含み、該架材をサークル状に構成し、
該スツールに収納容器を設置し、該収納容器はボックス及び蓋を含み、
該ボックスは底面を設け、該底面の縁から上向きにサイド壁を延伸し、該サイド壁の上縁は架材と接続し、
該蓋はシートとなる鋼材の頂面を設け、頂面の縁から下向きの垂直方向に鋼材のサイド面を形成し、該サイド面の下端は架材と抵触することを特徴とするスツールの構造。
【請求項９】
前記該架材を脚とサークル状に接続し、収納容器を円柱形とすることを特徴とする請求項８記載のスツールの構造。
【考案の詳細な説明】
【技術分野】
【０００１】
本考案は椅子の構造に関し、特に収納ができる背もたれのないスツールの構造に関する。
【背景技術】
【０００２】
椅子の歴史の中で、背もたれのないスツールの歴史が最も長い。床几はスツールの前身であり、スツールに背もたれをつけて椅子へと進化する。
【０００３】
スツール(中国名：
0003168682.tif 000003
)は中国の民間での別の呼び名は
0003168682.tif 000004
と言い、初めは馬やかごに乗る際に使用されるため、
0003168682.tif 000005
、
0003168682.tif 000006
とも呼ばれる。また、
0003168682.tif 000007
とも呼ばれ、武道を習う人は、背もたれを必要とせず、背筋を伸ばして鐘のようにどっしりと構えて座るために付けられた名である。スツールの材料はシンプルであり、用途が多く、流通する数量が大変多い。形も様々で、最も早期に作られたのは長方形であり、のち明代から清代にかけて、正方形や扇形、梅の形、六角形のものも作られるようになった。
【０００４】
多くの人にとって、収納付きスツールは新しいコンセプトであり、現代の素晴らしい創作の一つである。居住空間がますます狭くなる現代でこそ、空間を有効利用しようと試みる人が多い。椅子と収納を一つにしたスツールは、狭い生活空間をよりファッショナブルで美しいものにしてくれる。
【０００５】
中国の公知の実用新案第２００６２００２５２８１．７号『椅子になる折り畳み式収納ボックス』は、椅子として使用できる折り畳み式収納ボックスを案出した。それに含まれるのは矩形のボックスと底板、矩形の蓋である。矩形のボックス本体の底面は柔らかく、底面の四辺からそれぞれ上方にサイド壁を延伸し、相対する二つのサイド壁は折り曲げることのできない鋼材であり、ほかの相対する二つのサイド壁は垂直方向に折れ線を具有する鋼材であるため、サイド壁を折り曲げて折り畳むことができ、隣り合う二枚のサイド壁の間も折り曲げることができる。底板はボックス本体の底面に対応する鋼材である。矩形蓋の頂面四辺から下向きに延伸壁を延伸し、各延伸壁を該頂面に折り曲げることができる。隣り合う二つの延伸壁と頂面の三面が交わる角からフリーエッジに延伸する傾斜折れ線を設ける。使用しないときは、折り畳んで体積を小さくし、収納しやすいほか、椅子としての機能を具有する。
【０００６】
このような収納ボックス型のスツールは、収納と椅子の二つの機能を具有するが、収納ボックスは主に鋼材のサイド壁によって重さを支えるため、比較的低いスツールしか作成できない。高さを高くすれば、長すぎるサイド壁は、人の体重を支えきれないと折れて壊れてしまう。また、高すぎるプリズム型のスツールも美しいものではない。従って上述の技術を改善する必要があった。
【先行技術文献】
【特許文献】
【０００７】
【特許文献１】中国実用新案第２００６２００２５２８１．７号明細書
【考案の概要】
【考案が解決しようとする課題】
【０００８】
前記公知構造の欠点を解決するため、本考案は高さの制限を受けず、実用的で美しいスツールの構造を提供することを主な課題とする。
【課題を解決するための手段】
【０００９】
前記課題を解決するため、本考案はスツールの構造を提供する。それに含まれるのは脚部であり、該脚部は地面に立つスツールの脚及び、各脚を接続する架材を含み、該架材は荷重面を構成する。
【００１０】
該荷重面の上に収納容器を設置し、該収納容器はボックス及び蓋を含む。該ボックスは底面を設け、該底面の縁から上向きに垂直に鋼材のサイド壁を延伸する。該蓋はシートとなる鋼材の頂面を設け、頂面の縁から下向きにサイド面を形成する。該サイド面とサイド壁が套設し、頂面はサイド壁が支える。
【００１１】
あるいは、  前記課題の第二の解決方案として、前記課題を解決するため、本考案はスツールの構造を提供する。それに含まれるのは脚部、該脚部は地面に立つスツールの脚及び、各脚を接続する架材を含み、該架材は荷重面を構成する。
【００１２】
該荷重面の上に収納容器２を設置し、該収納容器はボックス及び蓋を含む。該ボックスは底面を設け、該底面の縁から上向きにサイド壁を延伸する。該蓋はシートとなる鋼材の頂面を設け、頂面の縁から下向き垂直に鋼材のサイド面を形成する。該サイド面とサイド壁が套設し、頂面はサイド面が支える。
【００１３】
従来技術の収納ボックス型のスツールと異なり、本考案は脚部を設置し、脚部の脚が地面の上に立ち、全体の重さを支える。また、脚部の荷重面に収納容器を設置し、該収納容器の頂面をスツールのシートとして利用し、人が座る面とするほか、頂面にかかる力は鋼材のサイド面或いはサイド壁、或いは二者から荷重面に伝わり、更に脚から地面に分散する。本考案は脚部を長くしてスツールの高さを高くできるとともに、荷重問題を解決しただけでなく、実用的で外観が美しい。また、必要に応じて異なる色や形の収納容器と脚部で組み合わせることができる。
【００１４】
本考案は更に、脚の数を偶数とし、且つ軸線に沿って対称的に設置する。架材は対称する二本の脚を接続し、該架材が軸線で交わるとき、架材と脚の接続箇所は脚の上端と下端の間に位置する。
【００１５】
本考案を更に改良し、前記脚を４本とし、中軸を設けて、二本の架材の接続箇所を軸として角度を変えて折り畳む、或いは展開しても良い。
【００１６】
本考案を更に改良し、前記脚を地面と垂直なストレートの棒の形としても良い。
【００１７】
本考案を更に改良し、前記収納容器を円柱形或いは長方体としても良い。
【００１８】
本考案を更に改良し、前記収納容器の底面にネジ或いはボルトを使って、脚部に固定しても良い。
【００１９】
前記課題の第三の解決方案として、本考案はスツールの構造を提供する。それに含まれるのは脚部、該脚部は地面に立つスツールの脚及び、各脚を接続する架材を含み、該架材の接続はサークル状を構成する。
【００２０】
該スツールに収納容器を設置し、該収納容器はボックス及び蓋を含む。該ボックスは底面を設け、該底面の縁から上向きにサイド壁を延伸する。該サイド壁の上縁は架材と接続する。該蓋はシートとなる鋼材の頂面を設け、頂面の縁から下向きの垂直方向に鋼材のサイド面を形成する。該サイド面の下端は架材と抵触する。
【００２１】
上記の二つの解決方案とはまた別に、サークル状に形成する架材の下にあるボックスが収納スペースを形成し、鋼材のサイド面が頂面と架材の間に位置する。同様にスツールの高さが増すことで強度が下がる欠点を解決することができ、外観も美しい。
【００２２】
前記実施例の改良として、該架材を脚とサークル状に接続し、収納容器を円柱形としても良い。
【考案の効果】
【００２３】
本考案のスツールの脚は地面の上に立ち、全体の重さを支える。該脚部の荷重面に収納容器を設置し、該収納容器の頂面をスツールのシートとして利用し、人が座る面とする。本考案は頂面にかかる力は鋼材のサイド面或いはサイド壁、或いは二者から荷重面に伝わり、更に脚から地面に分散する。本考案は脚部を長くしてスツールの高さを高くできるとともに、荷重問題を解決しただけでなく、実用的で外観が美しい。また、必要に応じて異なる色や形の収納容器と脚部で組み合わせることができる。
【図面の簡単な説明】
【００２４】
【図１】本考案におけるスツールの立体略図である。
【図２】本考案におけるスツールの脚部の折り畳み略図である。
【図３】本考案におけるスツールの立体略図である。
【考案を実施するための形態】
【００２５】
本考案によるスツールの構造を明確に示すために図に沿って詳細な説明を行う。
【実施例】
【００２６】
本考案の第一実施例は、図１に示すように、本考案のスツールに含まれるのは、脚部１、該脚部は地面に立つスツールの脚１１及び、各脚１１を接続する架材１２を含み、該架材は荷重面を構成する。該荷重面の上に収納容器２を設置し、該収納容器はボックス２１及び蓋２２を含む。該ボックス２１は底面２１１を設け、該底面２１１の縁から上向きに垂直に鋼材のサイド壁２１２を延伸する。該蓋２２はシートとなる鋼材の頂面２２１を設け、頂面の縁から下向きにサイド面２２２を形成する。該サイド面２２２とサイド壁２１２が套設し、頂面２２１はサイド壁２１２が支える。
【産業上の利用可能性】
【００２７】
本実施例は脚部を設置し、脚部の脚が地面の上に立ち、全体の重さを支える。また、脚部の荷重面に収納容器を設置し、該収納容器の頂面をスツールのシートとして利用し、人が座る面とするほか、頂面にかかる力は鋼材のサイド壁から荷重面に伝わり、更に脚から地面に分散する。本考案は脚部を長くしてスツールの高さを高くできるとともに、荷重問題を解決しただけでなく、実用的で外観が美しい。また、必要に応じて異なる色や形の収納容器と脚部で組み合わせることができる。
【００２８】
本考案の第二実施例については図１を参考に、基本的な構造は第一実施例と同じであり、異なるのは頂面２２１の縁から下向きの垂直方向は鋼材のサイド面２２２を設け、該頂面２２１はサイド面２２２によって支える。第一実施例との違いは、シートにかかる荷重は、サイド面２２２から荷重面に伝わる。
【００２９】
第一実施例及び第二実施例のスツールを重ねる際、上下のスツールの座る面を上向きに重ねることができる。または、一つのスツールの座る面を上向きに、一つは下向きに交差して置くことができる。
【００３０】
本考案の第三実施例について、図１及び図２を参考に、第一実施例及び第二実施例を改良し、脚１１の数を偶数とし、且つ軸線１００に沿って対称的に設置する。架材１２は対称する二本の脚１１を接続し、該架材１２が軸線１００で交わるとき、架材１２と脚の接続箇所１３は脚の上端と下端の間に位置する。このような設置が最も合理的でシンプルな形であり、加工しやすい。また、脚１１の数を３本或いは５本など奇数にできることも本考案の範囲とする。
【００３１】
本考案の第四実施例について、図２を参考に第三実施例を改良する。脚１１を４本とし、中軸を設けて、二本の架材１２の接続箇所１３を軸として角度を変えて折り畳む或いは展開する。
【００３２】
具体的な構造は下記の設置のように、二本の架材１２の接続箇所に回転軸或いはヒンジのような構造を設置すると、折り畳むことができる。
【００３３】
まず収納容器を取り出してから脚部１を折り畳む。使用時はまず脚部１を展開し、収納容器を載せる。素早く設置でき、スペースを節約できる。
【００３４】
本考案の第五実施例について、図１及び図２を参考に第三実施例を改良する。脚１１を地面と垂直なストレートの棒の形とし、生産しやすく、コストを下げる。
【００３５】
本考案の第六実施例について、第一及び第二実施例を改良する。収納容器を図１のような円柱形、或いは長方体にする。
【００３６】
本考案の第七実施例について、第一及び第二実施例を改良する。前記収納容器の底面２１１をネジ或いはボルトを通じて脚部に固定することで、収納容器を取り外しやすく、且つしっかりと固定することができる。
【００３７】
本考案の第八実施例について、図３を参考にする。本考案のスツールに含まれるのは脚部１、該脚部は地面に立つスツールの脚１１及び、各脚１１を接続する架材１２を含み、該架材１２の接続はサークル状を構成する。
【００３８】
該スツールに収納容器２を設置し、該収納容器はボックス２１及び蓋２２を含む。該ボックス２１は底面２１１を設け、該底面２１１の縁から上向きにサイド壁２１２を延伸する。該サイド壁の上縁は架材１２と接続する。該蓋２２はシートとなる鋼材の頂面２２１を設け、頂面の縁から下向きの垂直方向に鋼材のサイド面２２２を形成する。該サイド面２２２の下端は架材と抵触する。
【００３９】
本実施例が第一及び第二実施例と異なるのは、サークル状に形成する架材の下にあるボックスが収納スペースを形成し、鋼材のサイド面が頂面と架材の間に位置する。同様にスツールの高さが増すことで強度が下がる欠点を解決することができ、外観も美しい。
【００４０】
本考案の第九実施例について、図３を参考に第八実施例を改良する。前記該架材１２を脚１１とサークル状に接続し、収納容器を円柱形とする。
【００４１】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００４２】
１  脚部
１１  脚
１２  架材
２  収納容器
２１  ボックス
２２  蓋
２１１  底面
２１２  サイド壁
２２２  サイド面
２２１  頂面
１００  軸線
１３  架材と脚の接続箇所
【図１】
0003168682.tif 000008
【図２】
0003168682.tif 000009
【図３】
0003168682.tif 000010